(57)【特許請求の範囲】
【請求項１】
制御部とアンテナ部とが分離されたリーダライタとデータキャリアとにより構成される移動体識別装置において、リーダライタとデータキャリアとの間で交信する送受信方式に同期式を使用するとともに、同期キャラクタを判定するための同期キャラクタ判定回路と、交信中表示制御回路により制御される表示器とを、前記アンテナ部内に具備し、前記交信中表示制御回路は、前記同期キャラクタ判定回路の判定出力を受けて同期キャラクタを受信した後から交信終了まで前記表示器を制御することを特徴とする移動体識別装置。
【請求項２】
上位ホストからの一つの命令に対して、前記リーダライタとデータキャリアとの間の交信の送受信が一回行われて、前記データキャリアからの返信データ内に前記同期キャラクタを検出してから受信制御信号または送信制御信号の出力がオフするまでの期間、前記表示器が出力されることを特徴とする請求項１記載の移動体識別装置。
【請求項３】
上位ホストからの一つの命令に対して、前記リーダライタとデータキャリアとの間の交信の送受信が複数回行われて、前記データキャリアからの返信データ内に前記同期キャラクタを検出してから受信制御信号または送信制御信号の出力がオフするまでの期間、前記表示器が出力されることを特徴とする請求項１記載の移動体識別装置。
【発明の詳細な説明】
【０００１】
【産業上の利用分野】
本発明は、リーダライタとデータキャリアにより構成される移動体識別装置に関するものであって、リーダライタとデータキャリアの送受信方式に同期式を用いたものの技術に係るものである。
【０００２】
【従来の技術】
図５は移動体識別装置のリーダライタとデータキャリアの基本機能を説明する図である。この図５について説明する。
リーダライタＸは、上位ホストＣを介してその指示に従ってアンテナ部ＰまたはリーダライタＸのヘッドから信号を発信し、データキャリアＹから応答信号を送信して、リーダライタＸのアンテナＰで受信する。データキャリアＹ内には情報記憶用の素子が入っており、リーダライタＸの指定された番地の情報を読み取ることができる。またデータキャリアＹへの書込みは、リーダライタＸのアンテナ部Ｐを介して送信される情報を指定のメモリー内の番地に格納するようになっている。なお、図５中のＱはリーダライタＸの制御部，ＲはデータキャリアＹの移動体である。
【０００３】
リーダライタＸとデータキャリアＹとにより構成されている従来の移動体識別装置では、リーダライタＸからデータキャリアＹへ送信している状態、すなわち移動体識別装置が動作中であることを、アンテナ部Ｐに表示することはできるが、リーダライタＸとデータキャリアＹとの間で交信中であることを表示する機能は備えていない。
【０００４】
【発明が解決しようとする課題】
このように従来の移動体識別装置では、リーダライタとデータキャリアとの間で交信中の状態にあるとしても、その交信状態をアンテナ部では確認することができないものである。
またデータキャリアから何らかの応答があれば、リーダライタとデータキャリアとの間で交信中であることを表示するものが知られているが、リーダライタのアンテナ部に返信を受信したことが判っていても、リーダライタとデータキャリアとの応答状態が正常に機能しているか否かが判別できないという問題がある。
【０００５】
本発明は前記のような問題点にかんがみ、データキャリアからの返信信号内に同期キャラクタを受信すれば、リーダライタとデータキャリアとの間では正常に交信中であるものとし、信号処理回路をリーダライタのアンテナ部に設けてこの信号処理回路の表示器により、リーダライタとデータキャリアとが正常に交信中であることを確実に表示することを目的としている。
【０００６】
【課題を解決するための手段】
上記の目的を達成するために本発明に係る移動体識別装置は、制御部とアンテナ部とが分離されたリーダライタとデータキャリアとにより構成される移動体識別装置において、リーダライタとデータキャリアとの間で交信する送受信方式に同期式を使用するとともに、同期キャラクタを判定するための同期キャラクタ判定回路と、交信中表示制御回路により制御される表示器とを、前記アンテナ部内に具備し、前記交信中表示制御回路は、前記同期キャラクタ判定回路の判定出力を受けて同期キャラクタを受信した後から交信終了まで前記表示器を制御することを特徴とする。
【０００７】
【作用】
次に本発明に係る移動体識別装置の作用について述べる。同期式通信の場合、同期キャラクタによりデータの始まりを表すものであり、リーダライタのアンテナ部に設けられた同期キャラクタ判定回路により、データキャリアからの返信信号内の同期キャラクタの有無を判別するものである。そして同期キャラクタ判定回路による判別により、リーダライタとデータキャリアとの間で正常な交信が行われていることを確認し、この判定出力を受けて、交信中表示制御回路が同期キャラクタを受信した後から交信終了までの期間、アンテナ部に設けられている表示器を制御するのである。
【０００８】
【実施例】
以下図面を参照しながら本発明の実施例を具体的に説明する。図１は図２に示すような移動体識別装置のアンテナ部に設けた表示器出力を行うための信号処理回路のブロック図を示したものであり、また図２は移動体識別装置の構成ブロック図である。そして図２に示したリーダライタＸのアンテナ部Ｐに設けられている同期キャラクタ判定回路１，交信中表示制御回路２及び表示器３の回路ブロック図を図１に示している。同期キャラクタ判定回路１は、例えばシフトレジスタと論理回路で構成されており、また交信中表示制御回路２は、例えば論理回路で構成されている。さらに表示器３は、ＬＥＤ（発光ダイオード），ブザー，表示パネルなどが使用されている。なお、図２中のＺは上位ホストである。
【０００９】
リーダライタＸのアンテナ部Ｐに設けられる同期キャラクタ判定回路１は、データキャリアＹからの返信信号ＲＸＤ内に同期キャラクタを受信すれば、これを検出して出力を行うもので、この出力と制御部Ｑから供給される送信制御信号ＴＸＣ、または制御部Ｑから供給される受信制御信号ＲＸＣにより、交信中表示制御回路２は表示器３を制御するものである。
【００１０】
次に本発明に係る移動体識別装置の動作について説明する。同期式通信の場合同期キャラクタによりデータの始まりを表すものであるが、リーダライタＸのアンテナ部Ｐに設けられた同期キャラクタ判定回路１により、データキャリアＹからの返信信号ＲＸＤ内の同期キャラクタの有無を判別することにより、正常な交信が行われていることを確認するものである。交信中表示制御回路２は、この判定出力を受けて同期キャラクタを受信した後から交信終了までアンテナ部Ｐに設けられた表示器３を制御するのである。
【００１１】
これを図３を参照しながら説明する。リーダライタＸのアンテナ部Ｐに設けられる同期キャラクタ判定回路１は、データキャリアＹからの返信信号ＲＸＤ｛図３（ｃ）｝を受け、同期キャラクタを検出して出力を行うものである。交信中表示制御回路２は、同期キャラクタ判定回路１の出力と、制御部Ｑから供給される送信制御信号ＴＸＣ｛図３（ａ）｝及び制御部Ｑから供給される受信制御信号ＲＸＣ｛図３（ｂ）｝により交信期間を決定して表示器３を制御するのである。ここで送信制御信号ＴＸＣは、リーダライタＸからデータキャリアＹへ送信データを送信する期間を決定する信号を示しており、また受信制御信号ＲＸＣは、データキャリアＹからの返事を受信する期間を決定する信号を示している。
【００１２】
すなわち、データキャリアＹからの返信データ内に同期キャラクタを検出してから受信制御信号ＲＸＣ、または送信制御信号ＴＸＣの出力がオフするまでの期間、表示器３が出力されるのである｛図３（ｄ）｝。そして制御部Ｑは、上位ホストＺからの命令、例えば読み出し命令，書き込み命令などを受けてこれを独自の通信形式に変換し、アンテナ部Ｐを介してこれを受信し、上位ホストＺとの間の通信形式に変換して上位ホストＺへ送信するのである。
【００１３】
図３はこのような信号処理回路のタイムチャートを示すものであるが、上位ホストＺからの一つの命令に対して、リーダライタＸとデータキャリアＹとの間の交信の送受信が一回の場合のタイムチャートを示している。なお、制御部Ｑとアンテナ部Ｐの信号には送信信号ＴＸＤもあるがこの図では省略している。
図４も同様に信号処理回路のタイムチャートを示すものであるが、上位ホストＺからの一つの命令に対して、リーダライタＸとデータキャリアＹとの間の交信の送受信が複数回の場合のタイムチャートを示している。なお、制御部Ｑとアンテナ部Ｐの信号には送信信号ＴＸＤもあるがこの図では省略している。この図４の場合でも図３の場合と同様に、データキャリアＹからの返信データ内に同期キャラクタを検出してから受信制御信号ＲＸＣ、または送信制御信号ＴＸＣの出力がオフするまでの期間、表示器３は出力されるものである。
【００１４】
すなわち、｛図４（ｄ）｝ではデータキャリアＹからの返信データ内に同期キャラクタを検出してから送信制御信号ＴＸＣの出力がオフするまでの期間、表示器３が出力されるものを示しており、また｛図４（ｅ）｝では受信制御信号ＲＸＣの出力がオフするまでの期間、表示器３は出力されるものを示している。換言すれば、｛図４（ｄ）｝ではデータキャリアＹからの返信データ内に同期キャラクタを検出してから送信制御信号ＴＸＣの出力がオフして交信終了する場合を示しており、また｛図４（ｅ）｝では受信制御信号ＲＸＣ出力がオフして交信終了する場合を示している。
【００１５】
なお、図３及び図４において、ｍは送信期間、ｎは受信期間、ｋは同期キャラクタとデータキャリアＹからの返信データを示している。
以上に述べたように移動体識別装置のリーダライタＸのアンテナ部Ｐの表示だけで、リーダライタＸとデータキャリアＹとの間の交信の送受信が行われていることが判り、また正常通信可能領域が判るのである。
【００１６】
【発明の効果】
本発明に係る移動体識別装置は、制御部とアンテナ部とが分離されたリーダライタとデータキャリアとにより構成される移動体識別装置において、リーダライタとデータキャリアとの間で交信する送受信方式に同期式を使用するとともに、同期キャラクタを判定するための同期キャラクタ判定回路と、交信中表示制御回路により制御される表示器とを、前記アンテナ部内に具備し、前記交信中表示制御回路は、前記同期キャラクタ判定回路の判定出力を受けて同期キャラクタを受信した後から交信終了まで前記表示器を制御するものであるから、アンテナ部における表示器の出力を見ることにより、リーダライタとデータキャリアとの間で正常な交信を行っているか否かを正確に判別することができ、この正常な交信状態及び正常な交信可能領域をアンテナ部により的確に確認できる特長がある。
【図面の簡単な説明】
【図１】移動体識別装置のアンテナ部に設けた表示器出力を行うための信号処理回路のブロック図。
【図２】移動体識別装置の構成ブロック図。
【図３】上位ホストからの一つの命令に対して、リーダライタとデータキャリアとの間の交信の送受信が一回の場合の信号処理回路のタイムチャート。
【図４】上位ホストからの一つの命令に対して、リーダライタとデータキャリアとの間の交信の送受信が複数回の場合の信号処理回路のタイムチャート。
【図５】移動体識別装置のリーダライタとデータキャリアの基本機能の説明図。
【符号の説明】
１      同期キャラクタ判定回路
２      交信中表示制御回路
３      表示器
ＴＸＣ  送信制御信号
ＲＸＣ  受信制御信号
ＲＸＤ  返信信号
【図１】
0003608233.tif 000002
【図２】
0003608233.tif 000003
【図３】
0003608233.tif 000004
【図４】
0003608233.tif 000005
【図５】
0003608233.tif 000006